(57)【要約】 【課題】  放電ランプの点灯を確実に開始させることができるとともに、液晶パネルが初期化される前の初期化前画像が表示されてしまうという不具合が防がれ、かつ放電ランプに印加される電圧が変更されるときの、表示における輝度の変化を抑えることができる液晶表示装置を提供する。【解決手段】  液晶パネル２は、表示データに基づいて駆動される。この液晶パネル２には、照明手段５の冷陰極ランプ４による光が、背後側から照射される。ランプ制御手段２１は、冷陰極ランプ４に、点灯開始電圧Ｖ１を点灯開始期間Ｐにわたって印加した後、前記点灯開始電圧Ｖ１よりも低い点灯維持電圧Ｖ２を印加する。光透過率変更手段２２は、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。【選択図】      図１
2006267446.tif 000002
【特許請求の範囲】
【請求項１】
表示データに基づいて駆動される液晶パネルと、
放電ランプを有し、この放電ランプによる光を、液晶パネルに背後側から照射する照明手段と、
放電ランプに、点灯開始電圧を点灯開始期間にわたって印加した後、前記点灯開始電圧よりも低い点灯維持電圧を印加するランプ制御手段と、
液晶パネルの光透過率を、点灯開始期間では第１光透過率にし、放電ランプに印加される電圧が点灯開始電圧から点灯維持電圧に変更されるときに前記第１光透過率よりも高い第２光透過率に変更する光透過率変更手段とを含むことを特徴とする液晶表示装置。
【請求項２】
光透過率変更手段は、表示データの輝度値を調整することによって、液晶パネルの光透過率を変更することを特徴とする請求項１記載の液晶表示装置。
【請求項３】
光透過率変更手段は、液晶パネルを駆動させるための階調電圧の基準電圧を調整することによって、液晶パネルの光透過率を変更することを特徴とする請求項１記載の液晶表示装置。
【請求項４】
点灯開始電圧による照明手段の輝度に対する点灯維持電圧による照明手段の輝度の比と、第２光透過率に対する第１光透過率の比とが、等しいことを特徴とする請求項１〜３のいずれか１つに記載の液晶表示装置。
【請求項５】
点灯維持電圧を設定するための点灯維持電圧設定手段をさらに含むことを特徴とする請求項４記載の液晶表示装置。
【請求項６】
光透過率変更手段は、第１および第２光透過率に関する情報を記憶し、この情報に基づいて液晶パネルの光透過率を変更することを特徴とする請求項１〜５のいずれか１つに記載の液晶表示装置。
【発明の詳細な説明】
【技術分野】
【０００１】
本発明は、液晶パネルに背後側から、放電ランプによる光が照射される液晶表示装置に関する。
【背景技術】
【０００２】
液晶表示装置として、透過形および透過反射兼用形の液晶表示装置がある。このような液晶表示装置では、液晶パネルに背後側から放電ランプによる光が照射される。放電ランプは、冷陰極ランプおよび熱陰極ランプなどの蛍光ランプによって実現される。
【０００３】
放電ランプは、消灯状態において、インピーダンスが無限大である。放電ランプは、放電が開始されると、インピーダンスが低下する。このような放電ランプは、点灯状態において必要とされる電圧と同じ電圧が印加されても、点灯が開始されない場合がある。放電ランプは、低温時、特に氷点下において、放電が開始されにくく、点灯が開始されにくい。
【０００４】
特許文献１には、放電ランプの点灯を確実に開始させるための技術が開示される。この技術では、点灯状態において必要とされる点灯維持電圧よりも高い点灯開始電圧を、放電ランプに印加して、確実に放電を開始させる。これによって放電ランプの点灯を確実に開始させる。
【０００５】
このような特許文献１の技術では、放電が開始されるまでの時間の、温度などの要因によるばらつきを見越して、点灯開始電圧を印加する点灯開始期間にマージンが設けられる。点灯開始期間を経過する前に、放電ランプのインピーダンスが充分に低下すると、放電ランプを流れる電流が一時的に大きくなり、これによって放電ランプの輝度が一時的に高くなる。
【０００６】
したがって放電ランプに印加される電圧が点灯開始電圧から点灯維持電圧に変更されるときに、表示における輝度が変化してしまう。この表示における輝度の変化が、ちらつきのように見えることがあるという問題がある。
【０００７】
特許文献２には、前記特許文献１の問題を解決するための技術が開示される。この技術では、まず放電ランプを起動し、この放電ランプの輝度が安定した後に、液晶パネルを起動する。これによって放電ランプに印加される電圧が変更されるときの、表示における輝度の変化を抑えることができる。このような特許文献２の技術では、液晶パネルよりも先に放電ランプを起動するので、液晶パネルを起動してから、液晶パネルの表示が安定するまでの間に、液晶パネルが初期化される前の初期化前画像が表示されてしまうという問題がある。
【０００８】
特許文献３には、前記特許文献２の問題を解決するための技術が開示される。この技術では、まず液晶パネルを起動し、この液晶パネルの表示が安定した後に、放電ランプを起動する。これによって液晶パネルが初期化される前の初期化前画像が表示されてしまうという不具合を防ぐことができる。このような特許文献３の技術では、仮に液晶パネルに黒ベタ画像を表示させていても、放電ランプの光を液晶パネルによって完全に遮断することができないので、表示における輝度の変化を隠すことができず、前記特許文献１と同様の問題がある。
【０００９】
【特許文献１】特開昭６４−３２７７７号公報
【特許文献２】特開２０００−２０６９０７号公報
【特許文献３】特開昭６２−３５８６号公報
【発明の開示】
【発明が解決しようとする課題】
【００１０】
本発明の目的は、放電ランプの点灯を確実に開始させることができるとともに、液晶パネルが初期化される前の初期化前画像が表示されてしまうという不具合が防がれ、かつ放電ランプに印加される電圧が変更されるときの、表示における輝度の変化を抑えることができる液晶表示装置を提供することである。
【課題を解決するための手段】
【００１１】
本発明は、表示データに基づいて駆動される液晶パネルと、
放電ランプを有し、この放電ランプによる光を、液晶パネルに背後側から照射する照明手段と、
放電ランプに、点灯開始電圧を点灯開始期間にわたって印加した後、前記点灯開始電圧よりも低い点灯維持電圧を印加するランプ制御手段と、
液晶パネルの光透過率を、点灯開始期間では第１光透過率にし、放電ランプに印加される電圧が点灯開始電圧から点灯維持電圧に変更されるときに前記第１光透過率よりも高い第２光透過率に変更する光透過率変更手段とを含むことを特徴とする液晶表示装置である。
【００１２】
また本発明は、光透過率変更手段は、表示データの輝度値を調整することによって、液晶パネルの光透過率を変更することを特徴とする。
【００１３】
また本発明は、光透過率変更手段は、液晶パネルを駆動させるための階調電圧の基準電圧を調整することによって、液晶パネルの光透過率を変更することを特徴とする。
【００１４】
また本発明は、点灯開始電圧による照明手段の輝度に対する点灯維持電圧による照明手段の輝度の比と、第２光透過率に対する第１光透過率の比とが、等しいことを特徴とする。
【００１５】
また本発明は、点灯維持電圧を設定するための点灯維持電圧設定手段をさらに含むことを特徴とする。
【００１６】
また本発明は、光透過率変更手段は、第１および第２光透過率に関する情報を記憶し、この情報に基づいて液晶パネルの光透過率を変更することを特徴とする。
【発明の効果】
【００１７】
本発明によれば、液晶パネルは、表示データに基づいて駆動される。この液晶パネルには、照明手段の放電ランプによる光が、背後側から照射される。これによって表示データに基づく画像が、液晶パネルの正面に表示される。
【００１８】
ランプ制御手段は、放電ランプに、点灯開始電圧を点灯開始期間にわたって印加した後、前記点灯開始電圧よりも低い点灯維持電圧を印加する。換言すれば、点灯開始期間にわたって、放電ランプには、点灯維持電圧よりも高い点灯開始電圧が印加される。したがって放電ランプの点灯を確実に開始させることができる。
【００１９】
光透過率変更手段は、液晶パネルの光透過率を、点灯開始期間では第１光透過率にし、放電ランプに印加される電圧が点灯開始電圧から点灯維持電圧に変更されるときに前記第１光透過率よりも高い第２光透過率に変更する。放電ランプに印加される電圧が変更されるとき、照明手段の輝度は低下するけれども、この照明手段の輝度の低下に起因して表示における輝度が低下してしまうという不具合を、前述のように液晶パネルの光透過率を変更することによって防ぐことができる。このようにして、放電ランプに印加される電圧が変更されるときの、表示における輝度の変化を抑えることができる。
【００２０】
換言すれば、光透過率変更手段は、点灯開始期間では液晶パネルの光透過率を、第２光透過率よりも低い第１光透過率にする。これによって点灯開始期間において表示における輝度が一時的に高くなってしまうという不具合を防ぐことができる。
【００２１】
詳細に述べると、放電ランプに点灯開始電圧が印加される点灯開始期間では一時的に、照明手段の輝度が、点灯開始期間後に放電ランプに点灯維持電圧が印加される点灯維持期間よりも高くなる。点灯開始期間において、照明手段の輝度が一時的に高くなると、表示における輝度が一時的に高くなってしまうという不具合が生じる。この不具合を、前述のように点灯開始期間では液晶パネルの光透過率を第２光透過率よりも低い第１光透過率にすることによって防ぐことができる。
【００２２】
このような本発明では、点灯開始期間よりも前に、液晶パネルの駆動が開始される。したがって液晶パネルが初期化される前の初期化前画像が表示されてしまうという不具合を防ぐことができる。
【００２３】
また本発明によれば、光透過率変更手段は、表示データの輝度値を調整することによって、液晶パネルの光透過率を変更し、これによって放電ランプに印加される電圧が変更されるときの、表示における輝度の変化を抑えることができる。
【００２４】
また本発明によれば、光透過率変更手段は、液晶パネルを駆動させるための階調電圧の基準電圧を調整することによって、液晶パネルの光透過率を変更し、これによって放電ランプに印加される電圧が変更されるときの、表示における輝度の変化を抑えることができる。
【００２５】
また本発明によれば、点灯開始電圧による照明手段の輝度に対する点灯維持電圧による照明手段の輝度の比と、第２光透過率に対する第１光透過率の比とが、等しい。これによって、点灯開始電圧による照明手段の輝度と第１光透過率との積で表される表示における輝度と、点灯維持電圧による照明手段の輝度と第２光透過率との積で表される表示における輝度とが等しくなる。したがって放電ランプに印加される電圧が変更されるときの、表示における輝度の変化をさらに抑えることができる。
【００２６】
また本発明によれば、点灯維持電圧を設定するための点灯維持電圧設定手段が設けられるので、ユーザに点灯維持電圧を設定させることができ、利便性が向上される。ユーザに点灯維持電圧を設定させたとしても、前述のように点灯開始電圧による照明手段の輝度に対する点灯維持電圧による照明手段の輝度の比と、第２光透過率に対する第１光透過率の比とが、等しいので、放電ランプに印加される電圧が変更されるときの、表示における輝度の変化をさらに抑えることができる。
【００２７】
また本発明によれば、光透過率変更手段は、第１および第２光透過率に関する情報を記憶し、この情報に基づいて液晶パネルの光透過率を変更するので、第１および第２光透過率を求めるための演算処理を省略することができる。
【発明を実施するための最良の形態】
【００２８】
図１は、本発明の実施の第１形態である液晶表示装置１の構成を示すブロック図である。液晶表示装置１は、透過形または透過反射兼用形の液晶表示装置であり、たとえばパーソナルコンピュータの液晶表示装置として用いられる。
【００２９】
液晶表示装置１は、液晶パネル２を有する液晶モジュール３と、放電ランプである冷陰極ランプ４を有する照明手段５とを含む。液晶モジュール３の液晶パネル２は、表示データに基づいて駆動される。この液晶パネル２には、照明手段５の冷陰極ランプ４による光が、背後側から照射される。これによって表示データに基づく画像が、液晶パネル２の正面に表示される。
【００３０】
詳細に述べると、液晶モジュール３は、基準電圧生成部６と、階調電圧生成部７と、ソースドライバ８と、ゲートドライバ９と、前記液晶パネル２とを有する。照明手段５は、前記冷陰極ランプ４と、導光体（不図示）とを有する。
【００３１】
基準電圧生成部６は、基準電圧を生成し、生成した基準電圧を階調電圧生成部７に与える。階調電圧生成部７は、基準電圧生成部６からの基準電圧に基づいて階調電圧を生成し、生成した階調電圧をソースドライバ８に与える。
【００３２】
ソースドライバ８は、後述のタイミング生成部１０から表示データを与えられるとともに、階調電圧生成部７から階調電圧を与えられる。ソースドライバ８は、表示データに基づいて階調電圧を選択する。ゲートドライバ９は、後述のタイミング生成部１０からラインシフトタイミングを与えられる。ソースドライバ８およびゲートドライバ９は、表示データおよびラインシフトタイミングに基づいて、液晶パネル２を駆動する。
【００３３】
冷陰極ランプ４は、後述のインバータ回路１１によって電圧が印加される。導光体は、冷陰極ランプ４の光を導いて、この光を液晶パネル２に背後側から照射させる。
【００３４】
液晶表示装置１はさらに、同期検出部１２と、Ａ／Ｄ変換部１３と、画質補正部１４と、タイミング生成部１０と、インバータ回路１１と、記憶部１５と、操作パネル１６と、温度センサ１７と、マイクロコントローラ１８とを含む。
【００３５】
同期検出部１２は、たとえばコンピュータ本体からの、水平同期信号（ＨＳ）および垂直同期信号（ＶＳ）を検出し、検出結果をＡ／Ｄ変換部１３およびマイクロコントローラ１８に与える。Ａ／Ｄ変換部１３は、たとえばコンピュータ本体から赤（Ｒ）、緑（Ｇ）および青（Ｂ）の画像データを与えられるとともに、同期検出部１２から検出結果を与えられる。Ａ／Ｄ変換部１３は、画像データを、アナログ信号からデジタル信号に変換して、画質補正部１４に与える。
【００３６】
画質補正部１４は、Ａ／Ｄ変換部１３から画像データを与えられるとともに、マイクロコントローラ１８から画質補正に関する設定値を与えられる。画質補正は、明暗補正、コントラスト補正、色調補正および解像度補正などを含む。画質補正部１４は、画像データを、画質補正に関する設定値に基づいて画質補正して、画質補正した画像データをタイミング生成部１０に与える。
【００３７】
タイミング生成部１０は、画質補正部１４からの画像データに基づいて、表示データおよびラインシフトタイミングを生成する。タイミング生成部１０は、表示データをソースドライバ８に与え、ラインシフトタイミングをゲートドライバ９に与える。
【００３８】
インバータ回路１１は、マイクロコントローラ１８から、電源ＯＮ／ＯＦＦ指令および輝度調整値を与えられる。インバータ回路１１は、マイクロコントローラ１８から電源ＯＮ指令を与えられると、冷陰極ランプ４に、点灯開始電圧Ｖ１を点灯開始期間Ｐにわたって印加した後、前記点灯開始電圧Ｖ１よりも低い点灯維持電圧Ｖ２を印加する。点灯開始電圧Ｖ１は、冷陰極ランプ４において放電を確実に開始させることができるような電圧に予め設定されている。点灯維持電圧Ｖ２は、マイクロコントローラ１８からの輝度調整値に応じた電圧である。インバータ回路１１は、マイクロコントローラ１８から電源ＯＦＦ指令を与えられると、冷陰極ランプ４に印加する電圧をゼロにする。
【００３９】
インバータ回路１１は、スタートアップ回路１９を有する。スタートアップ回路１９は、スタートアップフラグをマイクロコントローラ１８に与える。スタートアップ回路１９は、スタートアップフラグを、点灯開始期間Ｐにわたってセット状態にし、点灯開始期間Ｐ以外の期間ではクリア状態にする。
【００４０】
点灯開始期間Ｐは、冷陰極ランプ４への点灯開始電圧Ｖ１の印加を開始してから、放電が開始されるまでの時間の、温度などの要因によるばらつきを考慮して、予め設定される。点灯開始期間Ｐは、たとえば１秒間に選ばれる。
【００４１】
記憶部１５は、マイクロコントローラ１８によって書込みおよび読出し可能に、各種の設定値が記憶される。記憶部１５には、バックライト輝度設定値が記憶される。また記憶部１５には、画質補正に関する設定値として、明暗補正設定値、コントラスト補正設定値および色調補正設定値が記憶される。記憶部１５に記憶される各種の設定値は、ユーザによって設定されるユーザ設定値である。
【００４２】
操作パネル１６は、ユーザによって操作可能な操作キーを有し、操作キーの操作によって入力される各種の設定値を、マイクロコントローラ１８に与える。操作パネル１６は、点灯維持電圧Ｖ２を設定するための点灯維持電圧設定手段として機能する。温度センサ１７は、冷陰極ランプ４の温度を検出して、検出結果をマイクロコントローラ１８に与える。
【００４３】
マイクロコントローラ１８は、液晶モジュール３、同期検出部１２、Ａ／Ｄ変換部１３、画質補正部１４、タイミング生成部１０、インバータ回路１１、記憶部１５、操作パネル１６および温度センサ１７を制御する手段である。マイクロコントローラ１８は、たとえば中央演算処理装置（Central Processing Unit、略称ＣＰＵ）によって実現される。
【００４４】
マイクロコントローラ１８は、操作パネル１６からの各種の設定値を、記憶部１５に書込む。マイクロコントローラ１８は、記憶部１５に記憶される各種の設定値を読出して、読出した設定値に基づいて、画質補正部１４およびインバータ回路１１を制御する。
【００４５】
マイクロコントローラ１８は、インバータ回路１１に、電源ＯＮ／ＯＦＦ指令および輝度調整値を与える。マイクロコントローラ１８は、記憶部１５から読出したバックライト輝度設定値に関するユーザ設定値Ｌｕを輝度調整値としてインバータ回路１１に与える。マイクロコントローラ１８は、記憶部１５から読出したバックライト輝度設定値に関するユーザ設定値Ｌｕと温度センサ１７からの検出結果とに基づいて輝度調整値を算出し、算出した輝度調整値をインバータ回路１１に与えてもよい。マイクロコントローラ１８は、液晶モジュール３に、電源ＯＮ／ＯＦＦ指令を与える。
【００４６】
マイクロコントローラ１８は、補正係数生成部２０を有する。マイクロコントローラ１８には、最大輝度値Ｌｍａｘが予め記憶される。補正係数生成部２０は、前記最大輝度値Ｌｍａｘと、記憶部１５から読出したバックライト輝度設定値に関するユーザ設定値Ｌｕとに基づいて、補正係数Ｒを生成する。補正係数Ｒは、バックライト輝度設定値に関するユーザ設定値Ｌｕを、最大輝度値Ｌｍａｘで除した値（Ｌｕ／Ｌｍａｘ）である。前記最大輝度値Ｌｍａｘは、点灯開始電圧Ｖ１による照明手段５の輝度Ｌ１に相当し、前記バックライト輝度設定値に関するユーザ設定値Ｌｕは、点灯維持電圧Ｖ２による照明手段５の輝度Ｌ２に相当する。
【００４７】
冷陰極ランプ４を点灯させるにあたって、マイクロコントローラ１８は、まず明暗補正設定値を、ユーザ設定値Ｅｕに前記補正係数Ｒを乗じた補正値Ｅｒに設定し、明暗補正設定値として前記補正値Ｅｒを画質補正部１４に与える。またマイクロコントローラ１８は、スタートアップ回路１９からのスタートアップフラグがセット状態からクリア状態になると、明暗補正設定値をユーザ設定値Ｅｕに設定し、明暗補正設定値としてユーザ設定値Ｅｕを画質補正部１４に与える。
【００４８】
このように明暗補正設定値を変更することによって、表示データの輝度値を調整し、これによって液晶パネル２の光透過率を変更する。液晶パネル２の光透過率とは、液晶パネル２を駆動するための表示データの輝度値が最大であるときの液晶パネル２の光透過率をいう。
【００４９】
明暗補正設定値を前記補正値Ｅｒに設定したとき、液晶パネル２の光透過率は、第１光透過率Ｔ１になる。また明暗補正値を前記ユーザ設定値Ｅｕに設定したとき、液晶パネル２の光透過率は、第１光透過率Ｔ１よりも高い第２光透過率Ｔ２になる。本実施の形態では、前述のように前記補正値Ｅｒが算出されるので、点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが等しくなる。
【００５０】
本実施の形態では、インバータ回路１１とマイクロコントローラ１８とによって、ランプ制御手段２１が構成される。このようなランプ制御手段２１によって、冷陰極ランプ４に、点灯開始電圧Ｖ１を点灯開始期間Ｐにわたって印加した後、前記点灯開始電圧Ｖ１よりも低い点灯維持電圧Ｖ２を印加する。
【００５１】
また本実施の形態では、画質補正部１４とマイクロコントローラ１８とによって、光透過率変更手段２２が構成される。この光透過率変更手段２２は、表示データの輝度値を調整することによって、液晶パネル２の光透過率を変更する。このような光透過率変更手段２２によって、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。
【００５２】
マイクロコントローラ１８は、複数の動作モード、本実施の形態では第１〜第３動作モードを有する。マイクロコントローラ１８は、同期検出部１２からの検出結果に基づいて、要求される動作モードを判定し、要求される動作モードで動作する。同期検出１２からの検出結果に基づいて、要求される動作モードを判定するというのは、一例であり、これに限定されるものではない。
【００５３】
第２および第３動作モードは、省電力のための動作モードであり、第２動作モードは、第１動作モードよりも消費電力が小さく、第３動作モードは、第２動作モードよりもさらに消費電力が小さい。
【００５４】
第１動作モードでは、インバータ回路１１および液晶モジュール３の両者を電源ＯＮ状態にする。第１動作モードにおいて、液晶表示装置１は表示可能である。第２動作モードでは、インバータ回路１１を電源ＯＦＦ状態にし、液晶モジュール３を電源ＯＮ状態にする。第２動作モードにおいて、液晶表示装置１は、透過形であれば表示不可能であるが、透過反射兼用形であれば表示可能である。第３動作モードでは、インバータ回路１１および液晶モジュール３の両者を電源ＯＦＦ状態にする。第３動作モードにおいて、液晶表示装置１は、表示不可能である。
【００５５】
図２は、マイクロコントローラ１８の装置起動動作を説明するためのフローチャートである。装置起動動作は、液晶表示装置１の電源がＯＮになると、開始される。装置起動動作を開始すると、まずステップａ１で、バックライト輝度設定値に関するユーザ設定値Ｌｕと最大輝度値Ｌｍａｘとに基づいて、補正係数Ｒを生成して、ステップａ２に進む。ステップａ２では、明暗補正設定値を、ユーザ設定値Ｅｕに前記補正係数Ｒを乗じた補正値Ｅｒに設定し、ステップａ３に進む。
【００５６】
ステップａ３では、液晶モジュール３に電源ＯＮ指令を与え、ステップａ４に進む。ステップａ４では、タイミング生成部１０に、液晶モジュール３への表示データの転送を開始させ、ステップａ５に進む。ステップａ５では、液晶パネル２の表示が安定するまでに必要な時間だけ待機して、ステップａ６に進む。この待機時間は、１／６０秒程度である。
【００５７】
ステップａ６では、インバータ回路１１に電源ＯＮ指令を与え、ステップａ７に進む。ステップａ７では、輝度調整値を、バックライト輝度設定値に関するユーザ設定値Ｌｕに設定し、ステップａ８に進む。ステップａ８では、スタートアップフラグがセット状態であるか否かを判定する。スタートアップフラグがセット状態である間はステップａ８の動作を繰り返し実行し、スタートアップフラグがクリア状態になったと判定すると、ステップａ９に進む。ステップａ９では、明暗補正設定値をユーザ設定値Ｅｕに変更し、装置起動動作を終了する。装置起動動作が終了すると、第１動作モードに移行する。
【００５８】
図３は、第１動作モードにおけるマイクロコントローラ１８のモード変更動作を説明するためのフローチャートである。第１動作モードになると、まずステップｂ１で、同期検出部１２による検出結果に基づいて、要求される動作モードを判定する。要求される動作モードが第１動作モードであると判定すると、ステップｂ１の動作を繰り返し実行する。
【００５９】
前記ステップｂ１で、要求される動作モードが第２動作モードであると判定すると、ステップｂ２に進む。ステップｂ２では、インバータ回路１１に電源ＯＦＦ指令を与え、ステップｂ３に進む。ステップｂ３では、第２動作モードに移行する。
【００６０】
前記ステップｂ１で、要求される動作モードが第３動作モードであると判定すると、ステップｂ４に進む。ステップｂ４では、インバータ回路１１に電源ＯＦＦ指令を与え、ステップｂ５に進む。ステップｂ５では、液晶モジュール３に電源ＯＦＦ指令を与え、ステップｂ６に進む。ステップｂ６では、第３動作モードに移行する。ステップｂ４およびｂ５は、同時であってもよく、あるいは順序が逆であってもよい。
【００６１】
図４は、第２動作モードにおけるマイクロコントローラ１８のモード変更動作を説明するためのフローチャートである。第２動作モードになると、まずステップｃ１で、同期検出部１２による検出結果に基づいて、要求される動作モードを判定する。要求される動作モードが第２動作モードであると判定すると、ステップｃ１の動作を繰り返し実行する。
【００６２】
前記ステップｃ１で、要求される動作モードが第１動作モードであると判定すると、ステップｃ２に進む。ステップｃ２では、図２のステップａ１およびａ２の動作を実行して、ステップｃ３に進む。ステップｃ３では、図２のステップａ６〜ａ９の動作を実行して、ステップｃ４に進む。ステップｃ４では、第１動作モードに移行する。
【００６３】
前記ステップｃ１で、要求される動作モードが第３動作モードであると判定すると、ステップｃ５に進む。ステップｃ５では、液晶モジュール３に電源ＯＦＦ指令を与え、ステップｃ６に進む。ステップｃ６では、第３動作モードに移行する。
【００６４】
図５は、第３動作モードにおけるマイクロコントローラ１８のモード変更動作を説明するためのフローチャートである。第３動作モードになると、まずステップｄ１で、同期検出部１２による検出結果に基づいて、要求される動作モードを判定する。要求される動作モードが第３動作モードであると判定すると、ステップｄ１の動作を繰り返し実行する。
【００６５】
前記ステップｄ１で、要求される動作モードが第１動作モードであると判定すると、ステップｄ２に進む。ステップｄ２では、図２のステップａ１〜ａ９の動作を実行して、ステップｄ３に進む。ステップｄ３では、第１動作モードに移行する。
【００６６】
前記ステップｄ１で、要求される動作モードが第２動作モードであると判定すると、ステップｄ４に進む。ステップｄ４では、図２のステップａ３〜ａ５の動作を実行して、ステップｄ５に進む。ステップｄ５では、第２動作モードに移行する。
【００６７】
図６は、表示における輝度の変化の一例を説明するための図である。図６（１）は、冷陰極ランプ４に印加される電圧の変化を示し、図６（２）は、冷陰極ランプ４のインピーダンスの変化を示し、図６（３）は、冷陰極ランプ４を流れる電流の変化を示し、図６（４）は、照明手段５の輝度の変化を示し、図６（５）は、液晶パネル２の光透過率の変化を示し、図６（６）は、表示における輝度の変化を示す。図６（１）において、電圧は実効値で表し、図６（３）において、電流は実効値で表す。図６においては、マイクロコントローラ１８の動作モードが、第３動作モードから第１動作モードに移行する場合を想定して説明する。
【００６８】
第３動作モードでは、冷陰極ランプ４に印加される電圧はゼロであり、冷陰極ランプ４のインピーダンスは無限大であり、冷陰極ランプ４を流れる電流はゼロであり、照明手段５の輝度はゼロであり、液晶パネル２の光透過率はゼロであり、表示における輝度はゼロである。
【００６９】
まず第１時刻ｔ１において、液晶パネル２の光透過率は第１光透過率Ｔ１になる。次に、第２時刻ｔ２において、冷陰極ランプ４に印加される電圧は点灯開始電圧Ｖ１になる。この後、第３時刻ｔ３において、冷陰極ランプ４において放電が始まる。これによって冷陰極ランプ４のインピーダンスの低下が始まり、冷陰極ランプ４を流れる電流の増加が始まり、照明手段５の輝度の増加が始まる。
【００７０】
冷陰極ランプ４には、第２時刻ｔ２から点灯開始期間Ｐにわたって第４時刻ｔ４まで、点灯開始電圧Ｖ１が印加される。第４時刻ｔ４までに、冷陰極ランプ４のインピーダンスは、第１インピーダンスＺａまで低下し、冷陰極ランプ４を流れる電流は、第１電流Ｉａまで増加し、照明手段５の輝度は、第１照明輝度Ｌａまで増加する。
【００７１】
第４時刻ｔ４において、冷陰極ランプ４に印加される電圧は、点灯開始電圧Ｖ１よりも低い点灯維持電圧Ｖ２になる。これによって冷陰極ランプ４を流れる電流は、第１電流Ｉａよりも小さい第２電流Ｉｂまで減少し、照明手段５の輝度は、第１照明輝度Ｌａよりも低い第２照明輝度Ｌｂまで低下する。また第４時刻ｔ４において、液晶パネル２の光透過率は、第１光透過率Ｔ１よりも高い第２光透過率Ｔ２になる。
【００７２】
第４時刻ｔ４以降、冷陰極ランプ４のインピーダンスは、徐々に低下し、そして平衡状態では、第１インピーダンスＺａよりも低い平衡インピーダンスＺｓになる。冷陰極ランプ４を流れる電流は、徐々に増加し、そして平衡状態では、第２電流Ｉｂよりも大きい平衡電流Ｉｓになる。照明手段５の輝度は、徐々に増加し、そして平衡状態では、第２照明輝度Ｌｂよりも大きい平衡照明輝度Ｌｓになる。
【００７３】
このように照明手段５の輝度および液晶パネル２の光透過率が変化するので、第３時刻ｔ３において、表示における輝度の増加が始まり、第４時刻ｔ４までに、表示における輝度は、第１表示輝度Ｓ１まで増加する。第４時刻ｔ４において、表示における輝度は、第１表示輝度Ｓ１と同じまたは同じ程度の第２表示輝度Ｓ２になる。第４時刻ｔ４以降、表示における輝度は、徐々に増加し、そして平衡状態では、第２表示輝度Ｓ２よりも高い平衡表示輝度Ｓｓになる。
【００７４】
マイクロコントローラ１８の動作モードが、第２動作モードから第１動作モードに移行する場合は、第３動作モードから第１動作モードに移行する場合に類似するので、異なる点についてだけ説明する。第２動作モードでは、液晶パネル２の光透過率は第２光透過率Ｔ２である。まず第１時刻ｔ１において、液晶パネル２の光透過率は第１光透過率Ｔ１になる。以降は、動作モードが第３動作モードから第１動作モードに移行する場合と同一である。
【００７５】
図７は、表示における輝度の変化の比較例を説明するための図である。図７（１）は、冷陰極ランプ４に印加される電圧の変化を示し、図７（２）は、冷陰極ランプ４のインピーダンスの変化を示し、図７（３）は、冷陰極ランプ４を流れる電流の変化を示し、図７（４）は、照明手段５の輝度の変化を示し、図７（５）は、液晶パネル２の光透過率の変化を示し、図７（６）は、表示における輝度の変化を示す。図７（１）において、電圧は実効値で表し、図７（３）において、電流は実効値で表す。図７においては、マイクロコントローラ１８の動作モードが、第３動作モードから第１動作モードに移行する場合を想定して説明する。
【００７６】
図７に示す比較例は、図６に示す一例に類似するので、異なる点についてだけ説明する。比較例では、液晶パネル２の光透過率は、第１時刻ｔ１において第２光透過率Ｔ２になり、第４時刻ｔ４においても変更されない。換言すれば、液晶パネル２の光透過率は、第４時刻ｔ４の前後で、同一である。
【００７７】
このような比較例では、第３時刻ｔ３において、表示における輝度の増加が始まり、第４時刻ｔ４までに、表示における輝度は、前記第１表示輝度Ｓ１に比べて高い第３表示輝度Ｓ３まで増加する。第４時刻ｔ４において、表示における輝度は、第３表示輝度Ｓ３よりも低い第２表示輝度Ｓ２になる。
【００７８】
図８は、液晶表示装置１の表示状態を説明するための図である。図８においては、マイクロコントローラ１８の動作モードが、第３動作モードから第１動作モードに移行する場合を想定して説明する。前記図６をも参照して、照明手段５の照射状態は、第１時刻ｔ１の直後において輝度がゼロの状態であり、第４時刻ｔ４の直前において輝度が第１照明輝度Ｌａの状態であり、第４時刻ｔ４の直後において輝度が第１照明輝度Ｌａよりも低い第２照明輝度Ｌｂの状態である。液晶パネル２の駆動状態は、第１時刻ｔ１の直後において初期化される前の状態であり、第４時刻ｔ４の直前において光透過率が第１光透過率Ｔ１の状態であり、第４時刻ｔ４の直後において光透過率が第１光透過率Ｔ１よりも高い第２光透過率Ｔ２の状態である。液晶表示装置１の表示状態は、第１時刻ｔ１の直後において輝度がゼロの非表示状態であり、第４時刻ｔ４の直前において輝度が第１表示輝度Ｓ１の状態であり、第４時刻ｔ４の直後において輝度が第１表示輝度Ｓ１と同じまたは同じ程度の第２表示輝度Ｓ２の状態である。
【００７９】
図９は、液晶表示装置１の表示状態の比較例を説明するための図である。図９においては、マイクロコントローラ１８の動作モードが、第３動作モードから第１動作モードに移行する場合を想定して説明する。前記図７をも参照して、照明手段５の照射状態は、第１時刻ｔ１の直後において輝度がゼロの状態であり、第４時刻ｔ４の直前において輝度が第１照明輝度Ｌａの状態であり、第４時刻ｔ４の直後において輝度が第１照明輝度Ｌａよりも低い第２照明輝度Ｌｂの状態である。液晶パネル２の駆動状態は、第１時刻ｔ１の直後において初期化される前の状態であり、第４時刻ｔ４の直前において光透過率が第２光透過率Ｔ２の状態であり、第４時刻ｔ４の直後において光透過率が第２光透過率Ｔ２の状態である。液晶表示装置１の表示状態は、第１時刻ｔ１の直後において輝度がゼロの非表示状態であり、第４時刻ｔ４の直前において輝度が第３表示輝度Ｓ３の状態であり、第４時刻ｔ４の直後において輝度が第３表示輝度Ｓ３よりも低い第２表示輝度Ｓ２の状態である。
【００８０】
図６〜図９からは、図６および図８に示す一例では、図７および図９に示す比較例に比べて、第４時刻ｔ４において表示における輝度の変化が抑えられているということが判る。また図６および図８からは、図６および図８に示す一例では、液晶パネル２が初期化される前の初期化前画像が表示されないということが判る。
【００８１】
このような本実施の形態によれば、ランプ制御手段２１は、冷陰極ランプ４に、点灯開始電圧Ｖ１を点灯開始期間Ｐにわたって印加した後、前記点灯開始電圧Ｖ１よりも低い点灯維持電圧Ｖ２を印加する。換言すれば、点灯開始期間Ｐにわたって、冷陰極ランプ４には、点灯維持電圧Ｖ２よりも高い点灯開始電圧Ｖ１が印加される。したがって冷陰極ランプ４の点灯を確実に開始させることができる。
【００８２】
光透過率変更手段２２は、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。冷陰極ランプ４に印加される電圧が変更されるとき、照明手段５の輝度は低下するけれども、この照明手段５の輝度の低下に起因して表示における輝度が低下してしまうという不具合を、前述のように液晶パネル２の光透過率を変更することによって防ぐことができる。このようにして、冷陰極ランプ４に印加される電圧が変更されるときの、表示における輝度の変化を抑えることができる。
【００８３】
換言すれば、光透過率変更手段２２は、点灯開始期間Ｐでは液晶パネル２の光透過率を、第２光透過率Ｔ２よりも低い第１光透過率Ｔ１にする。これによって点灯開始期間Ｐにおいて表示における輝度が一時的に高くなってしまうという不具合を防ぐことができる。
【００８４】
詳細に述べると、冷陰極ランプ４に点灯開始電圧Ｖ１が印加される点灯開始期間Ｐでは一時的に、照明手段５の輝度が、点灯開始期間Ｐ後に冷陰極ランプ４に点灯維持電圧Ｖ２が印加される点灯維持期間よりも高くなる。点灯開始期間Ｐにおいて、照明手段５の輝度が一時的に高くなると、表示における輝度が一時的に高くなってしまうという不具合が生じる。この不具合を、前述のように点灯開始期間Ｐでは液晶パネル２の光透過率を第２光透過率Ｔ２よりも低い第１光透過率Ｔ１にすることによって防ぐことができる。
【００８５】
また本実施の形態によれば、点灯開始期間Ｐよりも前に、液晶パネル２の駆動が開始される。したがって液晶パネル２が初期化される前の初期化前画像が表示されてしまうという不具合を防ぐことができる。
【００８６】
また本実施の形態によれば、装置起動動作のときだけでなく、第２動作モードから第１動作モードになるとき、および第３動作モードから第１動作モードになるときも、前述のように液晶パネル２の光透過率を変更し、これによって表示における輝度の変化を抑えることができる。
【００８７】
特に、第２動作モードから第１動作モードになるとき、および第３動作モードから第１動作モードになるときは、ユーザが液晶パネル２を目視している可能性が高い。このようなときに、表示における輝度の変化を抑えることができるので、ユーザが表示における輝度の変化を感じてしまうという不都合を確実に回避することができる。
【００８８】
また本実施の形態によれば、光透過率変更手段２２は、表示データの輝度値を調整することによって、液晶パネル２の光透過率を変更し、これによって冷陰極ランプ４に印加される電圧が変更されるときの、表示における輝度の変化を抑えることができる。
【００８９】
また本実施の形態によれば、点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが、等しい。これによって、点灯開始電圧Ｖ１による照明手段５の輝度Ｌ１と第１光透過率Ｔ１との積（Ｌ１×Ｔ１）で表される表示における輝度と、点灯維持電圧Ｖ２による照明手段５の輝度Ｌ２と第２光透過率Ｔ２との積（Ｌ２×Ｔ２）で表される表示における輝度とが等しくなる。したがって冷陰極ランプ４に印加される電圧が変更されるときの、表示における輝度の変化をさらに抑えることができる。
【００９０】
また本実施の形態によれば、点灯維持電圧Ｖ２を設定するための点灯維持電圧設定手段として、操作パネル１６が設けられるので、ユーザに点灯維持電圧Ｖ２を設定させることができ、利便性が向上される。ユーザに点灯維持電圧Ｖ２を設定させたとしても、前述のように点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが、等しいので、冷陰極ランプ４に印加される電圧が変更されるときの、表示における輝度の変化をさらに抑えることができる。
【００９１】
図１０は、本発明の実施の第２形態である液晶表示装置４１の構成を示すブロック図である。本実施の形態の液晶表示装置４１は、前述の第１形態の液晶表示装置１に類似するので、同一の部分には同一の符号を付して説明を省略し、異なる部分についてだけ説明する。
【００９２】
本実施の形態では、前述の第１形態の基準電圧生成部６に代えて、後述の基準電圧生成部４２が設けられ、前述の第１形態のマイクロコントローラ１８に代えて、後述のマイクロコントローラ４３が設けられる。
【００９３】
基準電圧生成部４２は、マイクロコントローラ４３から基準電圧値を与えられる。基準電圧生成部４２は、基準電圧値に基づいて基準電圧を生成し、生成した基準電圧を階調電圧生成部７に与える。
【００９４】
マイクロコントローラ４３は、前述の第１形態のマイクロコントローラ１８に類似するので、異なる点についてだけ説明する。液晶パネル２の光透過率を変更するにあたって、前述の第１形態のマイクロコントローラ１８は画質補正部１４に与える明暗補正設定値を変更するけれども、本実施の形態のマイクロコントローラ４３は基準電圧生成部４２に与える基準電圧値を変更する。
【００９５】
冷陰極ランプ４を点灯させるにあたって、マイクロコントローラ４３は、まず基準電圧値を、予め設定される標準値Ｖｎに前記補正係数Ｒを乗じた補正値Ｖｒに設定し、基準電圧値として前記補正値Ｖｒを基準電圧生成部４２に与える。またマイクロコントローラ４３は、スタートアップ回路１９からのスタートアップフラグがセット状態からクリア状態になると、基準電圧値を標準値Ｖｎに設定し、基準電圧値として標準値Ｖｎを基準電圧生成部４２に与える。
【００９６】
このように基準電圧値を変更することによって、液晶パネル２を駆動させるための階調電圧を調整し、これによって液晶パネル２の光透過率を変更する。基準電圧値を前記補正値Ｖｒに設定したとき、液晶パネル２の光透過率は、第１光透過率Ｔ１になる。また基準電圧値を前記標準値Ｖｎに設定したとき、液晶パネル２の光透過率は、第１光透過率Ｔ１よりも高い第２光透過率Ｔ２になる。本実施の形態では、前述のように前記補正値Ｖｒが算出されるので、点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが等しくなる。
【００９７】
本実施の形態では、インバータ回路１１とマイクロコントローラ４３とによって、ランプ制御手段４４が構成される。このようなランプ制御手段４４によって、冷陰極ランプ４に、点灯開始電圧Ｖ１を点灯開始期間Ｐにわたって印加した後、前記点灯開始電圧Ｖ１よりも低い点灯維持電圧Ｖ２を印加する。
【００９８】
また本実施の形態では、基準電圧生成部４２とマイクロコントローラ４３とによって、光透過率変更手段４５が構成される。この光透過率変更手段４５は、液晶パネル２を駆動させるための階調電圧の基準電圧を調整することによって、液晶パネル２の光透過率を変更する。このような光透過率変更手段４５によって、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。
【００９９】
図１１は、マイクロコントローラ４３の装置起動動作を説明するためのフローチャートである。装置起動動作は、液晶表示装置４１の電源がＯＮになると、開始される。装置起動動作を開始すると、まずステップｅ１で、バックライト輝度設定値に関するユーザ設定値Ｌｕと最大輝度値Ｌｍａｘとに基づいて、補正係数Ｒを生成して、ステップｅ２に進む。ステップｅ２では、基準電圧値を、標準値Ｖｎに前記補正係数Ｒを乗じた補正値Ｖｒに設定し、ステップｅ３に進む。
【０１００】
ステップｅ３では、液晶モジュール３に電源ＯＮ指令を与え、ステップｅ４に進む。ステップｅ４では、タイミング生成部１０に、液晶モジュール３への表示データの転送を開始させ、ステップｅ５に進む。ステップｅ５では、液晶パネル２の表示が安定するまでに必要な時間だけ待機して、ステップｅ６に進む。
【０１０１】
ステップｅ６では、インバータ回路１１に電源ＯＮ指令を与え、ステップｅ７に進む。ステップｅ７では、輝度調整値を、バックライト輝度設定値に関するユーザ設定値Ｌｕに設定し、ステップｅ８に進む。ステップｅ８では、スタートアップフラグがセット状態であるか否かを判定する。スタートアップフラグがセット状態である間はステップｅ８の動作を繰り返し実行し、スタートアップフラグがクリア状態になったと判定すると、ステップｅ９に進む。ステップｅ９では、基準電圧値を標準値Ｖｎに変更し、装置起動動作を終了する。装置起動動作が終了すると、第１動作モードに移行する。
【０１０２】
マイクロコントローラ４３のモード変更動作は、前述の第１形態と類似する。第１動作モードにおけるモード変更動作は、図３に示すモード変更動作と同一である。第２動作モードにおけるモード変更動作は、図４に示すモード変更動作に類似し、異なるのは、ステップｃ２で、図１１のステップｅ１およびｅ２の動作を実行する点と、ステップｃ３で、図１１のステップｅ６〜ｅ９の動作を実行する点とである。第３動作モードにおけるモード変更動作は、図５に示すモード変更動作に類似し、異なるのは、ステップｄ２で、図１１のステップｅ１〜ｅ９の動作を実行する点と、ステップｄ４で、図１１のステップｅ３〜ｅ５の動作を実行する点とである。
【０１０３】
このような本実施の形態によれば、前述の第１形態と同様の効果を達成することができる。本実施の形態によれば、光透過率変更手段４５は、表示データの輝度値を調整することに代えて、液晶パネル２を駆動させるための階調電圧の基準電圧を調整することによって、液晶パネル２の光透過率を変更し、これによって冷陰極ランプ４に印加される電圧が変更されるときの、表示における輝度の変化を抑えることができる。
【０１０４】
図１２は、本発明の実施の第３形態である液晶表示装置５１の構成を示すブロック図である。本実施の形態の液晶表示装置５１は、前述の第１形態の液晶表示装置１に類似するので、同一の部分には同一の符号を付して説明を省略し、異なる部分についてだけ説明する。
【０１０５】
本実施の形態では、前述の第１形態のインバータ回路１１に代えて、後述のインバータ回路５２が設けられ、前述の第１形態のマイクロコントローラ１８に代えて、後述のマイクロコントローラ５３が設けられる。
【０１０６】
インバータ回路５２は、マイクロコントローラ５３から、電源ＯＮ／ＯＦＦ指令および輝度調整値を与えられる。インバータ回路５２は、マイクロコントローラ５３から電源ＯＮ指令を与えられると、冷陰極ランプ４に、マイクロコントローラ５３からの輝度調整値に応じた電圧を印加する。インバータ回路５２は、マイクロコントローラ５３から電源ＯＦＦ指令を与えられると、冷陰極ランプ４に印加する電圧をゼロにする。
【０１０７】
マイクロコントローラ５３は、前述の第１形態のマイクロコントローラ１８に類似するので、異なる点についてだけ説明する。マイクロコントローラ５３は、切換部５４を有する。マイクロコントローラ５３は、インバータ回路５２が、冷陰極ランプ４に、点灯開始電圧Ｖ１を点灯開始期間Ｐにわたって印加した後、前記点灯開始電圧Ｖ１よりも低い点灯維持電圧Ｖ２を印加するように、切換部５４によって輝度調整値を切り換える。
【０１０８】
マイクロコントローラ５３は、インバータ回路５２によって冷陰極ランプ４に点灯開始電圧Ｖ１を印加させるために、最大輝度値Ｌｍａｘを輝度調整値としてインバータ回路５２に与える。またマイクロコントローラ５３は、インバータ回路５２によって冷陰極ランプ４に点灯維持電圧Ｖ２を印加させるために、記憶部１５から読出したバックライト輝度設定値に関するユーザ設定値Ｌｕを輝度調整値としてインバータ回路５２に与える。
【０１０９】
マイクロコントローラ５３は、インバータ回路５２によって冷陰極ランプ４に点灯維持電圧Ｖ２を印加させるために、記憶部１５から読出したバックライト輝度設定値に関するユーザ設定値Ｌｕと温度センサ１７からの検出結果とに基づいて輝度調整値を算出し、算出した輝度調整値をインバータ回路１１に与えてもよい。
【０１１０】
冷陰極ランプ４を点灯させるにあたって、マイクロコントローラ５３は、まず明暗補正設定値を、ユーザ設定値Ｅｕに前記補正係数Ｒを乗じた補正値Ｅｒに設定し、明暗補正設定値として前記補正値Ｅｒを画質補正部１４に与える。またマイクロコントローラ５３は、切換部５４によって輝度調整値を最大輝度値Ｌｍａｘからユーザ設定値Ｌｕに切り換えると、明暗補正設定値をユーザ設定値Ｅｕに設定し、明暗補正設定値としてユーザ設定値Ｅｕを画質補正部１４に与える。
【０１１１】
このように明暗補正設定値を変更することによって、表示データの輝度値を調整し、これによって液晶パネル２の光透過率を変更する。明暗補正設定値を前記補正値Ｅｒに設定したとき、液晶パネル２の光透過率は、第１光透過率Ｔ１になる。また明暗補正値を前記ユーザ設定値Ｅｕに設定したとき、液晶パネル２の光透過率は、第１光透過率Ｔ１よりも高い第２光透過率Ｔ２になる。本実施の形態では、前述のように前記補正値Ｅｒが算出されるので、点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが等しくなる。
【０１１２】
本実施の形態では、インバータ回路５２とマイクロコントローラ５３とによって、ランプ制御手段５５が構成される。このようなランプ制御手段５５によって、冷陰極ランプ４に、点灯開始電圧Ｖ１を点灯開始期間Ｐにわたって印加した後、前記点灯開始電圧Ｖ１よりも低い点灯維持電圧Ｖ２を印加する。
【０１１３】
また本実施の形態では、画質補正部１４とマイクロコントローラ５３とによって、光透過率変更手段５６が構成される。この光透過率変更手段５６は、表示データの輝度値を調整することによって、液晶パネル２の光透過率を変更する。このような光透過率変更手段５６によって、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。
【０１１４】
図１３は、マイクロコントローラ５３の装置起動動作を説明するためのフローチャートである。装置起動動作は、液晶表示装置５１の電源がＯＮになると、開始される。装置起動動作を開始すると、まずステップｆ１で、バックライト輝度設定値と最大輝度値Ｌｍａｘとに基づいて、補正係数Ｒを生成して、ステップｆ２に進む。ステップｆ２では、明暗補正設定値を、ユーザ設定値Ｅｕに前記補正係数Ｒを乗じた補正値Ｅｒに設定し、ステップｆ３に進む。
【０１１５】
ステップｆ３では、液晶モジュール３に電源ＯＮ指令を与え、ステップｆ４に進む。ステップｆ４では、タイミング生成部１０に、液晶モジュール３への表示データの転送を開始させ、ステップｆ５に進む。ステップｆ５では、液晶パネル２の表示が安定するまでに必要な時間だけ待機して、ステップｆ６に進む。
【０１１６】
ステップｆ６では、インバータ回路５２に電源ＯＮ指令を与え、ステップｆ７に進む。ステップｆ７では、輝度調整値を最大輝度値Ｌｍａｘに設定し、ステップｆ８に進む。ステップｆ８では、点灯開始期間Ｐを経過したか否かを判定する。点灯開始期間Ｐを経過したと判定するまではステップｆ８の動作を繰り返し実行し、点灯開始期間Ｐを経過したと判定すると、ステップｆ９に進む。
【０１１７】
ステップｆ９では、輝度調整値を、バックライト輝度設定値に関するユーザ設定値Ｌｕに変更し、ステップｆ１０に進む。ステップｆ１０では、明暗補正設定値をユーザ設定値Ｅｕに変更し、装置起動動作を終了する。ステップｆ９およびｆ１０の動作は、順序が逆でもよい。これらのステップｆ９およびｆ１０の動作は、ほぼ同時に実行される。装置起動動作が終了すると、第１動作モードに移行する。
【０１１８】
マイクロコントローラ５３のモード変更動作は、前述の第１形態と類似する。第１動作モードにおけるモード変更動作は、図３に示すモード変更動作と同一である。第２動作モードにおけるモード変更動作は、図４に示すモード変更動作に類似し、異なるのは、ステップｃ２で、図１３のステップｆ１およびｆ２の動作を実行する点と、ステップｃ３で、図１３のステップｆ６〜ｆ１０の動作を実行する点とである。第３動作モードにおけるモード変更動作は、図５に示すモード変更動作に類似し、異なるのは、ステップｄ２で、図１３のステップｆ１〜ｆ１０の動作を実行する点と、ステップｄ４で、図１３のステップｆ３〜ｆ５の動作を実行する点とである。
【０１１９】
このような本実施の形態によれば、前述の第１形態と同様の効果を達成することができる。また本実施の形態によれば、冷陰極ランプ４に電圧を印加するインバータ回路５２の構成を簡単にすることができる。
【０１２０】
図１４は、本発明の実施の第４形態である液晶表示装置６１の構成を示すブロック図である。本実施の形態の液晶表示装置６１は、前述の第１形態の液晶表示装置１に類似するので、同一の部分には同一の符号を付して説明を省略し、異なる部分についてだけ説明する。
【０１２１】
本実施の形態では、前述の第１形態の基準電圧生成部６に代えて、後述の基準電圧生成部６２が設けられ、前述の第１形態のインバータ回路１１に代えて、後述のインバータ回路６３が設けられ、前述の第１形態のマイクロコントローラ１８に代えて、後述のマイクロコントローラ６４が設けられる。
【０１２２】
基準電圧生成部６２は、マイクロコントローラ６４から基準電圧値を与えられる。基準電圧生成部６２は、基準電圧値に基づいて基準電圧を生成し、生成した基準電圧を階調電圧生成部７に与える。
【０１２３】
インバータ回路６３は、マイクロコントローラ６４から、電源ＯＮ／ＯＦＦ指令および輝度調整値を与えられる。インバータ回路６３は、マイクロコントローラ６４から電源ＯＮ指令を与えられると、冷陰極ランプ４に、マイクロコントローラ６４からの輝度調整値に応じた電圧を印加する。インバータ回路６３は、マイクロコントローラ６４から電源ＯＦＦ指令を与えられると、冷陰極ランプ４に印加する電圧をゼロにする。
【０１２４】
マイクロコントローラ６４は、前述の第１形態のマイクロコントローラ１８に類似するので、異なる点についてだけ説明する。マイクロコントローラ６４は、切換部６５を有する。マイクロコントローラ６４は、インバータ回路６３が、冷陰極ランプ４に、点灯開始電圧Ｖ１を点灯開始期間Ｐにわたって印加した後、前記点灯開始電圧Ｖ１よりも低い点灯維持電圧Ｖ２を印加するように、切換部６５によって輝度調整値を切り換える。
【０１２５】
マイクロコントローラ６４は、インバータ回路６３によって冷陰極ランプ４に点灯開始電圧Ｖ１を印加させるために、最大輝度値Ｌｍａｘを輝度調整値としてインバータ回路６３に与える。またマイクロコントローラ６４は、インバータ回路６３によって冷陰極ランプ４に点灯維持電圧Ｖ２を印加させるために、記憶部１５から読出したバックライト輝度設定値に関するユーザ設定値Ｌｕを輝度調整値としてインバータ回路５２に与える。
【０１２６】
マイクロコントローラ６４は、インバータ回路６３によって冷陰極ランプ４に点灯維持電圧Ｖ２を印加させるために、記憶部１５から読出したバックライト輝度設定値に関するユーザ設定値Ｌｕと温度センサ１７からの検出結果とに基づいて輝度調整値を算出し、算出した輝度調整値をインバータ回路６３に与えてもよい。
【０１２７】
液晶パネル２の光透過率を変更するにあたって、前述の第１形態のマイクロコントローラ１８は画質補正部１４に与える明暗補正設定値を変更するけれども、本実施の形態のマイクロコントローラ６４は基準電圧生成部６２に与える基準電圧値を変更する。
【０１２８】
冷陰極ランプ４を点灯させるにあたって、マイクロコントローラ６４は、まず基準電圧値を、予め設定される標準値Ｖｎに前記補正係数Ｒを乗じた補正値Ｖｒに設定し、基準電圧値として前記補正値Ｖｒを基準電圧生成部６２に与える。またマイクロコントローラ６４は、切換部６５によって輝度調整値を最大輝度値Ｌｍａｘからユーザ設定値Ｌｕに切り換えると、基準電圧値を標準値Ｖｎに設定し、基準電圧値として標準値Ｖｎを基準電圧生成部６２に与える。
【０１２９】
このように基準電圧値を変更することによって、液晶パネル２を駆動させるための階調電圧を調整し、これによって液晶パネル２の光透過率を変更する。基準電圧値を前記補正値Ｖｒに設定したとき、液晶パネル２の光透過率は、第１光透過率Ｔ１になる。また基準電圧値を前記標準値Ｖｎに設定したとき、液晶パネル２の光透過率は、第１光透過率Ｔ１よりも高い第２光透過率Ｔ２になる。本実施の形態では、前述のように前記補正値Ｖｒが算出されるので、点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とが等しくなる。
【０１３０】
本実施の形態では、インバータ回路６３とマイクロコントローラ６４とによって、ランプ制御手段６６が構成される。このようなランプ制御手段６６によって、冷陰極ランプ４に、点灯開始電圧Ｖ１を点灯開始期間Ｐにわたって印加した後、前記点灯開始電圧Ｖ１よりも低い点灯維持電圧Ｖ２を印加する。
【０１３１】
また本実施の形態では、基準電圧生成部６２とマイクロコントローラ６４とによって、光透過率変更手段６７が構成される。この光透過率変更手段６７は、液晶パネル２を駆動させるための階調電圧の基準電圧を調整することによって、液晶パネル２の光透過率を変更する。このような光透過率変更手段６７によって、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。
【０１３２】
図１５は、マイクロコントローラ６４の装置起動動作を説明するためのフローチャートである。装置起動動作は、液晶表示装置６１の電源がＯＮになると、開始される。装置起動動作を開始すると、まずステップｇ１で、バックライト輝度設定値に関するユーザ設定値Ｌｕと最大輝度値Ｌｍａｘとに基づいて、補正係数Ｒを生成して、ステップｇ２に進む。ステップｇ２では、基準電圧値を、標準値Ｖｎに前記補正係数Ｒを乗じた補正値Ｖｒに設定し、ステップｇ３に進む。
【０１３３】
ステップｇ３では、液晶モジュール３に電源ＯＮ指令を与え、ステップｇ４に進む。ステップｇ４では、タイミング生成部１０に、液晶モジュール３への表示データの転送を開始させ、ステップｇ５に進む。ステップｇ５では、液晶パネル２の表示が安定するまでに必要な時間だけ待機して、ステップｇ６に進む。
【０１３４】
ステップｇ６では、インバータ回路６３に電源ＯＮ指令を与え、ステップｇ７に進む。ステップｇ７では、輝度調整値を最大輝度値Ｌｍａｘに設定し、ステップｇ８に進む。ステップｇ８では、点灯開始期間Ｐを経過したか否かを判定する。点灯開始期間Ｐを経過したと判定するまではステップｇ８の動作を繰り返し実行し、点灯開始期間Ｐを経過したと判定すると、ステップｇ９に進む。
【０１３５】
ステップｇ９では、輝度調整値を、バックライト輝度設定値に関するユーザ設定値Ｌｕに変更し、ステップｇ１０に進む。ステップｇ１０では、基準電圧値を標準値Ｖｎに変更し、装置起動動作を終了する。ステップｇ９およびｇ１０の動作は、順序が逆でもよい。これらのステップｇ９およびｇ１０の動作は、ほぼ同時に実行される。装置起動動作が終了すると、第１動作モードに移行する。
【０１３６】
マイクロコントローラ１８のモード変更動作は、前述の第１形態と類似する。第１動作モードにおけるモード変更動作は、図３に示すモード変更動作と同一である。第２動作モードにおけるモード変更動作は、図４に示すモード変更動作に類似し、異なるのは、ステップｃ２で、図１５のステップｇ１およびｇ２の動作を実行する点と、ステップｃ３で、図１５のステップｇ６〜ｇ１０の動作を実行する点とである。第３動作モードにおけるモード変更動作は、図５に示すモード変更動作に類似し、異なるのは、ステップｄ２で、図１５のステップｇ１〜ｇ１０の動作を実行する点と、ステップｄ４で、図１５のステップｇ３〜ｇ５の動作を実行する点とである。
【０１３７】
このような本実施の形態によれば、前述の第１形態と同様の効果を達成することができる。本実施の形態によれば、光透過率変更手段６７は、表示データの輝度値を調整することに代えて、液晶パネル２を駆動させるための階調電圧の基準電圧を調整することによって、液晶パネル２の光透過率を変更し、これによって冷陰極ランプ４に印加される電圧が変更されるときの、表示における輝度の変化を抑えることができる。また本実施の形態によれば、冷陰極ランプ４に電圧を印加するインバータ回路６３の構成を簡単にすることができる。
【０１３８】
図１６は、前述の第１〜第４形態の液晶表示装置１，４１，５１，６１によって実現可能な表示における輝度の変化の他の例を説明するための図である。図１６（１）は、冷陰極ランプ４に印加される電圧の変化を示し、図１６（２）は、冷陰極ランプ４のインピーダンスの変化を示し、図１６（３）は、冷陰極ランプ４を流れる電流の変化を示し、図１６（４）は、照明手段５の輝度の変化を示し、図１６（５）は、液晶パネル２の光透過率の変化を示し、図１６（６）は、表示における輝度の変化を示す。図１６（１）において、電圧は実効値で表し、図１６（３）において、電流は実効値で表す。図１６においては、マイクロコントローラ１８の動作モードが、第３動作モードから第１動作モードに移行する場合を想定して説明する。
【０１３９】
図１６に示す他の例は、図６に示す一例に類似するので、異なる点についてだけ説明する。他の例では、第４時刻ｔ４以降、液晶パネル２の光透過率は、徐々に低下し、そして平衡状態では、第２光透過率Ｔ２よりも低い平衡光透過率Ｔｓになる。このような液晶パネル２の光透過率の変化は、マイクロコントローラ１８，４３，５３，６４がインバータ回路１１，５２，６３に与える輝度調整値を徐々に変更することによって実現される。
【０１４０】
第４時刻ｔ４以降、照明手段５の輝度は徐々に増加するけれども、この照明手段５の輝度の低下に起因して表示における輝度が上昇してしまうという不具合を、前述のように液晶パネル２の光透過率を変更することによって防ぐことができる。このようにして第４時刻ｔ４以降においても、表示における輝度の変化を抑えることができる。
【０１４１】
表１〜表２５は、表示における輝度の変化を具体的に示すための表である。前述の第１〜第４形態では、バックライト輝度設定値に関するユーザ設定値Ｌｕは、たとえば５段階のいずれか１つに設定可能である。ここでは説明の便宜上、各段階を、輝度が低い方から高い方に向かって、「暗」、「やや暗」、「中」、「やや明」および「明」と記載する。
【０１４２】
表１〜表５では、バックライト輝度設定値に関するユーザ設定値Ｌｕを「暗」に設定した場合を想定している。表６〜表１０では、バックライト輝度設定値に関するユーザ設定値Ｌｕを「やや暗」に設定した場合を想定している。表１１〜表１５では、バックライト輝度設定値に関するユーザ設定値Ｌｕを「中」に設定した場合を想定している。表１６〜表２０では、バックライト輝度設定値に関するユーザ設定値Ｌｕを「やや明」に設定した場合を想定している。表２１〜表２５では、バックライト輝度設定値に関するユーザ設定値Ｌｕを「明」に設定した場合を想定している。
【０１４３】
表１、表６、表１１、表１６および表２１は、冷陰極ランプ４のインピーダンスの変化、冷陰極ランプ４に印加される電圧の変化、連陰極ランプ４を流れる電流の変化および照明手段の輝度の変化を示す。表２、表７、表１２、表１７および表２２は、第４時刻ｔ４の前後で液晶パネル２の光透過率を変化させない場合の、表示における輝度の変化を示す。表３、表８、表１３、表１８および表２３は、第４時刻ｔ４で液晶パネル２の光透過率を高くする場合の、表示における輝度の変化を示す。表４、表９、表１４、表１９および表２４は、第４時刻ｔ４で液晶パネル２の光透過率を高くし、かつ第４時刻ｔ４以降、平衡状態になるまで液晶パネル２の光透過率を徐々に低くする場合の、表示における輝度の変化を示す。表５、表１０、表１５、表２０および表２５は、第４時刻ｔ４で液晶パネル２の光透過率を高くし、かつ第４時刻ｔ４以降、液晶パネル２の光透過率を低くする場合の、表示における輝度の変化を示す。
【０１４４】
【表１】
2006267446.tif 000003
【０１４５】
【表２】
2006267446.tif 000004
【０１４６】
【表３】
2006267446.tif 000005
【０１４７】
【表４】
2006267446.tif 000006
【０１４８】
【表５】
2006267446.tif 000007
【０１４９】
【表６】
2006267446.tif 000008
【０１５０】
【表７】
2006267446.tif 000009
【０１５１】
【表８】
2006267446.tif 000010
【０１５２】
【表９】
2006267446.tif 000011
【０１５３】
【表１０】
2006267446.tif 000012
【０１５４】
【表１１】
2006267446.tif 000013
【０１５５】
【表１２】
2006267446.tif 000014
【０１５６】
【表１３】
2006267446.tif 000015
【０１５７】
【表１４】
2006267446.tif 000016
【０１５８】
【表１５】
2006267446.tif 000017
【０１５９】
【表１６】
2006267446.tif 000018
【０１６０】
【表１７】
2006267446.tif 000019
【０１６１】
【表１８】
2006267446.tif 000020
【０１６２】
【表１９】
2006267446.tif 000021
【０１６３】
【表２０】
2006267446.tif 000022
【０１６４】
【表２１】
2006267446.tif 000023
【０１６５】
【表２２】
2006267446.tif 000024
【０１６６】
【表２３】
2006267446.tif 000025
【０１６７】
【表２４】
2006267446.tif 000026
【０１６８】
【表２５】
2006267446.tif 000027
【０１６９】
表２、表７、表１２、表１７および表２２と、表３、表８、表１３、表１８および表２３とからは、第４時刻ｔ４で液晶パネル２の光透過率を高くする場合は、第４時刻ｔ４の前後で液晶パネル２の光透過率を変化させない場合に比べて、第４時刻ｔ４の前後で表示における輝度の変化が小さいことが判る。またバックライト輝度設定値に関するユーザ設定値Ｌｕとして輝度が低いほど、第４時刻ｔ４で液晶パネル２の光透過率を高くすることの効果が現れることが判る。
【０１７０】
また表４、表９、表１４、表１９および表２４からは、第４時刻ｔ４で液晶パネル２の光透過率を高くし、かつ第４時刻ｔ４以降、平衡状態になるまで液晶パネル２の光透過率を徐々に低くする場合は、第４時刻ｔ４以降においても、表示における輝度の変化を抑えることができることが判る。
【０１７１】
また表５、表１０、表１５、表２０および表２５と、表３、表８、表１３、表１８および表２３とからは、第４時刻ｔ４で液晶パネル２の光透過率を高くし、かつ第４時刻ｔ４以降、液晶パネル２の光透過率を低くする場合は、第４時刻ｔ４で液晶パネル２の光透過率を高くするだけの場合に比べて、第４時刻ｔ４以降の表示における輝度の変化を抑えることができることが判る。
【０１７２】
図１７は、本発明の実施の第５形態である液晶表示装置７１の構成を示すブロック図である。本実施の形態の液晶表示装置７１は、前述の第１形態の液晶表示装置１に類似するので、同一の部分には同一の符号を付して説明を省略し、異なる部分についてだけ説明する。図１７においては、同期検出部１２、Ａ／Ｄ変換部１３、画質補正部１４、タイミング生成部１０、記憶部１５、操作パネル１６を省略している。
【０１７３】
本実施の形態では、前述の第１形態の基準電圧生成部６に代えて、後述の基準電圧生成部７２が設けられ、前述の第１形態のインバータ回路１１に代えて、後述のインバータ回路７３が設けられ、前述の第１形態のマイクロコントローラ１８に代えて、後述のマイクロコントローラ７４が設けられる。また本実施の形態では、液晶表示装置７１は、遅延回路７５および論理積回路７６をさらに含む。
【０１７４】
マイクロコントローラ７４は、前述の第１形態のマイクロコントローラ１８に類似するので、異なる点についてだけ説明する。マイクロコントローラ７４は、論理積回路７６に、インバータ回路７３の電源ＯＮ／ＯＦＦ指令を与える。またマイクロコントローラ７４は、液晶モジュール３および遅延回路７５に、液晶モジュール３の電源ＯＮ／ＯＦＦ指令を与える。
【０１７５】
遅延回路７５は、マイクロコントローラ７４からの液晶モジュール３の電源ＯＮ指令を遅延して、論理積回路７６に与える。遅延回路７５による遅延時間は、液晶モジュール３に電源ＯＮ指令が与えられてから液晶パネル２の表示が安定するまでの時間よりも長く選ばれる。論理積回路７６は、マイクロコントローラ７４からのインバータ回路７３の電源ＯＮ指令と、遅延回路７５からの液晶モジュール３の電源ＯＮ指令との両者が入力されるときだけ、インバータ回路７３に電源ＯＮ指令を与える。
【０１７６】
インバータ回路７３は、マイクロコントローラ７４から電源ＯＮ指令を与えられると、冷陰極ランプ４に、点灯開始電圧Ｖ１を点灯開始期間Ｐにわたって印加した後、前記点灯開始電圧Ｖ１よりも低い点灯維持電圧Ｖ２を印加する。インバータ回路７３は、スタートアップ回路７７を有する。スタートアップ回路７７は、スタートアップフラグを基準電圧生成部７２に与える。スタートアップ回路７７は、スタートアップフラグを、点灯開始期間Ｐにわたってセット状態にし、点灯開始期間Ｐ以外の期間ではクリア状態にする。
【０１７７】
基準電圧生成部７２は、基準電圧を生成し、生成した基準電圧を階調電圧生成部７に与える。液晶モジュール３に電源ＯＮ指令が与えられると、基準電圧生成部７２は、液晶パネル２の光透過率が第１光透過率Ｔ１になる階調電圧を階調電圧生成部７に生成させる第１基準電圧を生成し、生成した第１基準電圧を階調電圧生成部７に与える。また基準電圧生成部７２は、スタートアップ回路７７からのスタートアップフラグがセット状態からクリア状態になると、液晶パネル２の光透過率が第１光透過率Ｔ１よりも高い第２光透過率Ｔ２になる階調電圧を階調電圧生成部７に生成させる第２基準電圧を生成し、生成した第２基準電圧を階調電圧生成部７に与える。基準電圧生成部７２は、第１および第２光透過率Ｔ１，Ｔ２に関する情報を記憶し、この情報に基づいて基準電圧を変更し、これによって液晶パネル２の光透過率を変更する。
【０１７８】
本実施の形態では、インバータ回路７３、マイクロコントローラ７４、遅延回路７５および論理積回路７６によって、ランプ制御手段７８が構成される。このようなランプ制御手段７８によって、冷陰極ランプ４に、点灯開始電圧Ｖ１を点灯開始期間Ｐにわたって印加した後、前記点灯開始電圧Ｖ１よりも低い点灯維持電圧Ｖ２を印加する。
【０１７９】
また本実施の形態では、基準電圧生成部７２とインバータ回路７３とによって、光透過率変更手段７９が構成される。この光透過率変更手段７９は、液晶パネル２を駆動させるための階調電圧の基準電圧を調整することによって、液晶パネル２の光透過率を変更する。このような光透過率変更手段７９によって、液晶パネル２の光透過率を、点灯開始期間Ｐでは第１光透過率Ｔ１にし、冷陰極ランプ４に印加される電圧が点灯開始電圧Ｖ１から点灯維持電圧Ｖ２に変更されるときに前記第１光透過率Ｔ１よりも高い第２光透過率Ｔ２に変更する。
【０１８０】
このような本実施の形態によれば、前述の第１形態と同様の効果を達成するとともに、マイクロコントローラ７４の処理量を低減することができる。本実施の形態によれば、光透過率変更手段７９は、表示データの輝度値を調整することに代えて、液晶パネル２を駆動させるための階調電圧の基準電圧を調整することによって、液晶パネル２の光透過率を変更し、これによって冷陰極ランプ４に印加される電圧が変更されるときの、表示における輝度の変化を抑えることができる。
【０１８１】
また本実施の形態によれば、光透過率変更手段７９は、第１および第２光透過率Ｔ１，Ｔ２に関する情報を記憶し、この情報に基づいて液晶パネル２の光透過率を変更する。したがって第１および第２光透過率Ｔ１，Ｔ２を求めるための演算処理を省略することができ、液晶表示装置７１が非表示状態から表示状態になるまでの時間を短縮することができる。
【０１８２】
前述の実施の各形態は、本発明の例示に過ぎず、本発明の範囲内において構成を変更することができる。たとえば前述の第１〜第４形態では、冷陰極ランプ４を点灯させるにあたって、マイクロコントローラ１８，４３，５３，６４は毎回、補正値Ｅｒ，Ｖｒを求めるけれども、補正値Ｅｒ，Ｖｒは、第１および第２光透過率Ｔ１，Ｔ２に関する情報として、マイクロコントローラ１８，４３，５３，６４または記憶部１５に記憶されていてもよい。この場合、補正値Ｅｒ，Ｖｒを求めるための演算処理を省略することができ、液晶表示装置１，４１，５１，６１が非表示状態から表示状態になるまでの時間を短縮することができる。
【０１８３】
また点灯開始電圧Ｖ１による照明手段５の輝度Ｌ１に対する点灯維持電圧Ｖ２による照明手段５の輝度Ｌ２の比と、第２光透過率Ｔ２に対する第１光透過率Ｔ１の比とは必ずしも等しくなる必要はなく、第１透過率Ｔ１よりも第２光透過率Ｔ２が低ければよい。
【０１８４】
また光透過率変更手段は、表示データの輝度値を調整するとともに、液晶パネル２を駆動させるための階調電圧の基準電圧を調整することによって、液晶パネル２の光透過率を変更してもよい。
【０１８５】
本発明は、照明手段５が、放電ランプを有し、この放電ランプによる光を、液晶パネル２に背後側から照射する場合に適用可能である。放電ランプは、たとえば蛍光ランプによって実現される。蛍光ランプは、前述の実施の各形態における冷陰極ランプ４であってもよく、あるいは熱陰極ランプであってもよい。
【０１８６】
本発明は、透過形または透過反射兼用形の液晶表示装置に適用可能である。本発明は、パーソナルコンピュータの液晶表示装置に限らず、テレビジョン装置、携帯情報端末装置（Personal Digital Assistant、略称ＰＤＡ）および携帯電話機などの液晶表示装置にも適用可能である。
【図面の簡単な説明】
【０１８７】
【図１】本発明の実施の第１形態である液晶表示装置１の構成を示すブロック図である。
【図２】マイクロコントローラ１８の装置起動動作を説明するためのフローチャートである。
【図３】第１動作モードにおけるマイクロコントローラ１８のモード変更動作を説明するためのフローチャートである。
【図４】第２動作モードにおけるマイクロコントローラ１８のモード変更動作を説明するためのフローチャートである。
【図５】第３動作モードにおけるマイクロコントローラ１８のモード変更動作を説明するためのフローチャートである。
【図６】表示における輝度の変化の一例を説明するための図である。
【図７】表示における輝度の変化の比較例を説明するための図である。
【図８】液晶表示装置１の表示状態を説明するための図である。
【図９】液晶表示装置１の表示状態の比較例を説明するための図である。
【図１０】本発明の実施の第２形態である液晶表示装置４１の構成を示すブロック図である。
【図１１】マイクロコントローラ４３の装置起動動作を説明するためのフローチャートである。
【図１２】本発明の実施の第３形態である液晶表示装置５１の構成を示すブロック図である。
【図１３】マイクロコントローラ５３の装置起動動作を説明するためのフローチャートである。
【図１４】本発明の実施の第４形態である液晶表示装置６１の構成を示すブロック図である。
【図１５】マイクロコントローラ６４の装置起動動作を説明するためのフローチャートである。
【図１６】前述の第１〜第４形態の液晶表示装置１，４１，５１，６１によって実現可能な表示における輝度の変化の他の例を説明するための図である。
【図１７】本発明の実施の第５形態である液晶表示装置７１の構成を示すブロック図である。
【符号の説明】
【０１８８】
１，４１，５１，６１，７１  液晶表示装置
２  液晶パネル
３  液晶モジュール
４  冷陰極ランプ
５  照明手段
６，４２，６２，７２  基準電圧生成部
７  階調電圧生成部
１１，５２，６３，７３  インバータ回路
１４  画質補正部
１６  操作パネル
１８，４３，５３，６４，７４  マイクロコントローラ
１９，７７  スタートアップ回路
２０  補正係数生成部
２１，４４，５５，６６，７８  ランプ制御手段
２２，４５，５６，６７，７９  光透過率変更手段
５４  切換部
７５  遅延回路
７６  論理積回路
７７  スタートアップ回路
【図１】
2006267446.tif 000028
【図２】
2006267446.tif 000029
【図３】
2006267446.tif 000030
【図４】
2006267446.tif 000031
【図５】
2006267446.tif 000032
【図６】
2006267446.tif 000033
【図７】
2006267446.tif 000034
【図１０】
2006267446.tif 000035
【図１１】
2006267446.tif 000036
【図１２】
2006267446.tif 000037
【図１３】
2006267446.tif 000038
【図１４】
2006267446.tif 000039
【図１５】
2006267446.tif 000040
【図１６】
2006267446.tif 000041
【図１７】
2006267446.tif 000042
【図８】
2006267446.tif 000043
【図９】
2006267446.tif 000044